(57)【要約】      （修正有）【課題】各種の気管挿管チューブの挿入可能なシミュレ−ションモデルで気管挿管チュ−ブが気管内に入っていることを確認できるシミュレーターモデルの提供。【解決手段】全身または上半身のマネキンからなる気道管理シミュレーションモデルであって、該モデルは、生体の気道を模した気道構造物５と生体の食道を模した食道構造物６或いはその先端に生体の胃を模した胃構造物を有する食道・胃構造物を有し、且つ、前記食道構造物６または食道・胃構造物が扁平な形状であることを特徴とする気道管理シミュレーションモデルである。【選択図】図２
2005227372.tif 000002
【特許請求の範囲】
【請求項１】
全身または上半身のマネキンからなる気道管理シミュレーションモデルであって、該モデルは、生体の気道を模した気道構造物と生体の食道を模した食道構造物或いはその先端に生体の胃を模した胃構造物を有する食道・胃構造物を有し、且つ、前記食道構造物または食道・胃構造物が扁平な形状であることを特徴とする気道管理シミュレーションモデル。
【請求項２】
扁平な形状である食道構造物または食道・胃構造物は、気道確保時に使用する器具を挿入することで拡張する事が出来ることを特徴とする請求項１に記載の気道管理シミュレーションモデル。
【発明の詳細な説明】
【技術分野】
【０００１】
全身、あるいは上半身のマネキンからなる気道管理シミュレーションモデルであって、特に各種気管チューブ挿入トレーニングにおいて気管チューブ挿入後に、二次確認として食道挿管検知管（ＥＤＤ：Ｅｓｏｐｈａｇｅａｌ  Ｄｅｔｅｃｔｏｒ  Ｄｅｖｉｃｅｓ）による食道挿管の状態が確認できる気道管理シミュレーションモデルに関する。
【背景技術】
【０００２】
医師、救急救命士等により行われる応急処置のうち、器具を使用する二次救命処置の中で気道の確保においては、気管挿管チューブ、ラリンゲアルマスク、食道閉鎖式エアウェイ、コンビチューブ等各種のチューブが用いられる。当然いずれのチューブであっても確実に気道に挿入し、気道を確保する事が求められ、挿入後一次確認で気道が確保されていることを確認するために胸部の膨らみを目視で確認後、胸部に聴診器をあて換気チェックを確認することが行われている。
しかし、混乱した現場においては確実に気管チューブを気道に挿入することは困難であるといわれており、時には食道に挿入されてしまい、それに気が付かないことが予想される。そのために気管挿管をトレーニングするためのシミュレーションモデルが特許文献１に開示され、また、市販されているので気道への気管チューブ挿入を体験することはでき、食道への誤挿入もある程度は学習することは可能である。そして実際の現場では、食道への挿入を避けるために食道挿管検知器（ＥＤＤ）、呼気終末ＣＯ２検知器等の誤挿入防止のための装置が用いられているが、既存の気管内挿管をトレーニングするためのシミュレーションモデルではこれらの装置を使用することができないために、実際的な気管内挿管を学習することは出来なかった。
誤挿入防止のための装置の一つである食道挿管検知器（ＥＤＤ）は、気管挿管チューブを挿管後、ＥＤＤを口から出ている気管チューブ末端に取り付けることにより作動させるもので、ＥＤＤの内筒を引っ張る、あるいは吸引バルブを圧迫する等，ＥＤＤによって吸引状態を作った場合、気管挿管チューブが気道に入っていれば気管内の空気がＥＤＤに入ることによりＥＤＤの吸引状態は保持されず、気管に挿管されていることが確認されるものである。一方誤って食道に挿入されている場合には、ＥＤＤの吸引状態が保持されるために、気管ではなく食道に挿管されていると判断することが出来るものである。
このように従来の気管挿入をトレーニングするためのシミュレーションモデルでは、気管挿入、食道挿入のいずれの場合もＥＤＤの吸引状態が保持されないため、このＥＤＤを使用することが出来ず、従って実際的な気管チューブの挿管を習得する事を訓練することは出来なかった。
【特許文献１】特開昭５９−３０５８２号公報
【発明の開示】
【発明が解決しようとする課題】
【０００３】
本発明は上記の訓練が可能であって、実際的な気管挿管を習得できる気管挿管シミュレーションモデルについて種々の検討をした結果、本発明品を完成したもので、本発明では器具を用いた気道確保で各種気管挿管チューブの挿入可能なシミュレ−ションモデルと食道挿管検知管（ＥＤＤ）により気管挿管チュ−ブが気管内に入っていることを確認できるシミュレーターを提供することである。
【課題を解決するための手段】
【０００４】
本発明の要旨は、全身または上半身のマネキンからなる気道管理シミュレーションモデルであって、該モデルは、生体の気道を模した気道構造物と生体の食道を模した食道構造物、或いは前記食道構造物の先端に生体の胃を模した胃構造物を設けた食道・胃構造物を有し、且つ、前記食道構造物若しくは食道・胃構造物が扁平な形状であることを特徴とする気道管理シミュレーションモデルである。そして、前記扁平な形状である食道構造物或いは食道・胃構造物が、気道確保時に使用する器具を挿入することで拡張する事が出来るようにすることが好ましい。
【発明の効果】
【０００５】
本発明においては、気管については生体の気道を模した構造を持ち、一方食道については生体を模した食道、あるいは胃の構造をつぶした扁平な構造とした食道、あるいは胃からなる一端が閉鎖された構造物を有した気管内挿管シミュレーションモデルであるので、気管チューブが気管構造物に挿管され食道挿管検知器（ＥＤＤ）を使用した際に、ＥＤＤの吸引が保持されることはない。しかし、気管チューブが食道構造物または食道・胃構造物に挿管され、食道挿管検知器（ＥＤＤ）を使用した際には他端が閉鎖され、且つ、扁平な構造物であるためこれらの構造物中に空気が含まれずにＥＤＤの吸引が保持されることになり、ＥＤＤの使用を学習することが可能となる。
これによって本発明のシミュレーターを使用することによって器具を用いた気道確保で各種機関挿入チューブの挿入、及びＥＤＤの使用を同時にトレーニングすることが出来、総合的な気管内挿管の学習が可能となる。
【発明を実施するための最良の形態】
【０００６】
本発明にかかるシミュレーションモデルは全身、あるいは上半身のいずれでもよく、これらモデルの頭部には生体の口唇、口腔構造を設け、その口唇を開き気管チューブが挿入でき、その先に気道構造物、並びに扁平な食道構造物、あるいは食道・胃構造物が、全身、あるいは上半身の構造に組み込まれている。
気管については生体を模した類似の構造、例えば円筒状の構造で気管チューブを挿入できる構造であれば問題はない。また気管構造の挿入と反対の他端は開放されていて良く、要はＥＤＤの吸引が保持できない構造であれば良い。
食道については生体を模した類似の構造、例えば円筒状の構造をつぶし扁平となった構造で、扁平チューブの内部にＥＤＤの吸引を保持が可能なように空気が含まれない構造であれば問題ない。食道には胃構造物が付属するか、あるいはしないかのいずれの構造も可能である。食道に胃構造物が付属しない場合には、食道の気管チューブ挿管口と反対の他端を閉鎖する必要がある。
【０００７】
食道に胃構造物が付属する場合には胃の構造物も食道と同様に扁平にする必要がある。また胃の構造物は袋状とし閉鎖しＥＤＤの吸引が保持できる構造とする。当然胃と食道は一体で製造するか、接続部を密閉し空気の漏れがない構造とする必要がある。
気道、食道の構造物は器具を用いた気道確保で各種気管チューブが挿入可能な大きさで、生体と類似の大きさであれば問題ない。
これら構造物の材料について特に制限はないが、食道、胃については扁平の構造を維持でき、気道挿管チューブ、ラリンゲアルマスク、食道閉鎖式エアウェイ、コンビチューブ等の気管挿管チューブが挿入された際にチューブに密着し、空気が取り入れられる空隙を生ずることがない材料であれば良い。具体的にはシリコーン、ポリ塩化ビニル、ポリウレタン等をあげることが出来る。
本シミュレーターに他の機能、例えば心臓マッサージや人工呼吸等の処置トレーニング機能、あるいは二次救命処置として知られる不整脈に対する除細動、静脈路確保及び輸液の注入等の処置トレーニング機能が付属しても問題はなく、具体的にはコーケン気道管理モデル、高研気管挿管訓練モデル：喜々一発（（株）高研製）、サカモト気管挿管トレーナー（（株）坂本モデル製）、気道管理トレーナー（レールダル社製）、気管挿管練習モデル（アンブ社製）等の既存モデルの気管チューブ挿管部位を本発明に交換し用いることが可能である。
【実施例】
【０００８】
以下に図をもって本発明を詳しく説明するが、本発明はこれら実施例及び試験例により限定されるものではない。
図１に外観を、図２に気道、食道構造物を、図３に扁平な食道構造物を示す。
図１は本発明にかかるシミュレーションモデルの上半身の場合の外観図である。図１において、モデル１の頭部２には生体の口唇３、咽頭４が設けてある。そして、口唇３は開いてここに気管チューブが挿入出来る構造となっている。図２はこのモデルの顔表皮をめくり咽頭部の構造をしめしたものであって、咽頭部には気管構造物５及び食道構造物６が設けられており、気管構造物５が前面、扁平な食道構造物６が後面である。この部分を図３に示した。
本発明においては口唇３より咽頭４に気管挿入チューブを挿入し、その気管挿入チューブの口唇３より出ている部分にＥＤＤを取り付けた場合、気管挿入チューブが気管構造物５に挿入されているときは気管構造物５は開放されているのでＥＤＤは吸引状態を保持することが出来ず、他方、気管挿入チューブが食道構造物または食道・胃構造物に挿入された場合はこれらの構造物は扁平で閉鎖されているのでＥＤＤは吸引状態を保持することとなり、従ってこのモデルによって気管挿入チューブが正確に気管構造物５に挿入出来ているかどうかを管理することが出来る。
【図面の簡単な説明】
【０００９】
【図１】本発明にかかるシミュレーションモデルの上半身外観図
【図２】図１のシミュレーションモデルの内部構造を示した斜視図
【図３】本発明にかかるシミュレーションモデルの気管構造物及び食道構造物を示した斜視図
【符号の説明】
【００１０】
１  モデル        ２  頭部      ３  口唇        ４    咽頭部
５  気管構造物    ６  食道構造物
【図１】
2005227372.tif 000003
【図２】
2005227372.tif 000004
【図３】
2005227372.tif 000005